(57)【要約】【課題】工具を任意にその中に収容する収容状態と工具を露出させて展示する展示状態のいずれかにすることができ、収容と展示機能を兼ね備えた工具入れを提供する。【解決手段】工具の第１の端部を収容できる第１の収容部が少なくとも１つ設けられている第１のハウシングと、該工具の第１の端部とは逆側の第２の端部を収容できる第２の収容部が前記第１の収容部の量及び位置に対応して設けられている第２のハウシングとを突合せ枢接してなる工具入れであって、前記第１のハウシングと第２のハウシングが該工具の両端をそれぞれ収容するように第１の所定角度をなす収容状態と、前記第１のハウシングと第２のハウシングが該工具の第１の端部を前記第１の収容部内に収容したまま、該第２の端部を該工具入れ外に露出させるように第２の所定角度をなして互いにもたれかかった展示状態とのいずれかにすることができる工具入れ。【選択図】図２
0003126897.tif 000002
【実用新案登録請求の範囲】
【請求項１】
工具の第１の端部を収容できる第１の収容部が少なくとも１つ設けられている第１のハウシングと、該工具の第１の端部とは逆側の第２の端部を収容できる第２の収容部が前記第１の収容部の量及び位置に対応して設けられている第２のハウシングとを突合せ枢接してなる工具入れであって、
前記第１のハウシングと第２のハウシングが該工具の両端をそれぞれ収容するように第１の所定角度をなす収容状態と、前記第１のハウシングと第２のハウシングが該工具の第１の端部を前記第１の収容部内に収容したまま、該第２の端部を該工具入れ外に露出させるように第２の所定角度をなして互いにもたれかかった展示状態とのいずれかにすることができる工具入れ。
【請求項２】
前記第２のハウシングには更に工具の第１の端部を収容できる第３の収容部が少なくとも１つ設けられて、前記第１のハウシングには更に該工具の第２の端部を収容できる第４の収容部が前記第３の収容部の量及び位置に対応して設けられており、前記収容状態では該工具入れ内に収容されている工具の両端を共に収容しており、前記展示状態では該工具入れ内に収容されているすべての工具の第２の端部を該工具入れ外に露出させていることを特徴とする請求項１に記載の工具入れ。
【請求項３】
前記工具の第１の端部は柄部が設けられている一端とし、前記第２の端部は刃口または穂先が設けられている一端とすることを特徴とする請求項１に記載の工具入れ。
【請求項４】
前記工具の第１の端部は刃口または穂先が設けられている一端とし、第２の端部は柄部が設けられている一端とすることを特徴とする請求項１に記載の工具入れ。
【請求項５】
前記第１のハウシングには左右段違いの第１の段部が設けられ、前記第２のハウシングには前記第１の段部に対応し、互いに相欠き接合し合っている第２の段部が設けられており、前記第１の収容部が該第１の段部の凸出部に対応し、前記第２の収容部が該第２の段部の凹陥部に対応し、前記第３の収容部が該第２の段部の凸出部に対応し、前記第４の収容部が該第１の段部の凹陥部に対応して枢接されていることを特徴とする請求項２に記載の工具入れ。
【請求項６】
前記第１のハウシングには前記第１の収容部の量及び位置に対応して設けられている凸出部と、前記第４の収容部の量及び位置に対応して設けられている凹陥部とからなる第１の段部が設けられ、前記第２のハウシングには前記第３の収容部の量及び位置に対応して設けられている凸出部と、前記第２の収容部の量及び位置に対応して設けられている凹陥部とからなり、且つ前記第１のハウシングが有する前記第１の段部と相欠き接合しあっている第２の段部が枢接してなることを特徴とする請求項２に記載の工具入れ。
【請求項７】
前記第１のハウシングと前記第２のハウシング間の枢接は、前記第１、第２の段部を貫通する軸心線の回りに、前記第１のハウシングと前記第２のハウシングぞれぞれに設けられている円弧形ガイド溝部と該ガイド溝部の延伸円弧上の枢接するハウシングの一側に隣設されている半球体状に突出する係合部とにより、前記第１のハウシングに設けられている前記係合部が前記第２のハウシングに設けられている前記ガイド溝部に沿って移動可能に該ガイド溝部内に嵌め込み、前記第２のハウシングに設けられている前記係合部も前記第１のハウシングに設けられている前記ガイド溝部に沿って移動可能に該ガイド溝部内に嵌め込んでなり、更に、それぞれの前記ガイド溝部内には前記ガイド溝部内に嵌め込んでいる前記係合部の移動を一時制限し該工具入れを前記収容状態もしくは前記展示状態に維持するための複数のリブが設けられ、前記第１のハウシングを前記第２のハウシングに対して揺動させると、前記ガイド溝部内に嵌め込んでいる前記係合部が前記複数のリブをクリックして滑動させることによって、前記収容状態と前記展示状態間との間を自在に変えることができることを特徴とする請求項５または６に記載の工具入れ。
【考案の詳細な説明】
【技術分野】
【０００１】
本考案は、工具を収納する工具入れに関し、特にドライバーなどの棒状のものを保持収納するための工具入れに関する。
【背景技術】
【０００２】
従来より、店内に展示されるドライバーやきり、のみ、たがね、スパナなどの工具は、透明の収納ケースあるいはショーケース内に横一列並べて展示されるのであるが、普通のこのような仕方では特定の一面しか客に見せることができない。一方、ショーケース内に吊って展示する効果は並べる場合より優れているが、設置するには手間がかかり、宙吊りでは安定せず、却って見辛くなることもある。
【考案の開示】
【考案が解決しようとする課題】
【０００３】
従って、本考案は、工具を任意にその中に収容する収容状態と工具を露出させて展示する展示状態のいずれかにすることができ、収容と展示機能を兼ね備えた優れた工具入れを提供することを目的とする。
【課題を解決するための手段】
【０００４】
本考案は、上記目的を達成するために、工具の第１の端部を収容できる第１の収容部が少なくとも１つ設けられている第１のハウシングと、該工具の第１の端部とは逆側の第２の端部を収容できる第２の収容部が前記第１の収容部の量及び位置に対応して設けられている第２のハウシングとを突合せ枢接してなる工具入れであって、前記第１のハウシングと第２のハウシングが該工具の両端をそれぞれ収容するように第１の所定角度をなす収容状態と、前記第１のハウシングと第２のハウシングが該工具の第１の端部を前記第１の収容部内に収容したまま、該第２の端部を該工具入れ外に露出させるように第２の所定角度をなして互いにもたれかかった展示状態とのいずれかにすることができる工具入れを提供する。
【０００５】
また、上記工具入れにおいて、前記第２のハウシングには更に工具の第１の端部を収容できる第３の収容部が少なくとも１つ設けられて、前記第１のハウシングには更に該工具の第２の端部を収容できる第４の収容部が前記第３の収容部の量及び位置に対応して設けられており、前記収容状態では該工具入れ内に収容されている工具の両端を共に収容しており、前記展示状態では該工具入れ内に収容されているすべての工具の第２の端部を該工具入れ外に露出させている構成とすることもできる。
【０００６】
ちなみに、前記工具の第１の端部と第２の端部は特別に限定されるものではなく、前記工具の第１の端部は柄部が設けられている一端とし、前記第２の端部は刃口または穂先が設けられている一端としたり、もしくは、第１の端部は刃口または穂先が設けられている一端とし、第２の端部は柄部が設けられている一端とすることもできる。
【０００７】
また、前記工具入れにおいて、前記第１のハウシングには左右段違いの第１の段部が設けられ、前記第２のハウシングには前記第１の段部に対応し、互いに相欠き接合し合っている第２の段部が設けられており、前記第１の収容部が該第１の段部の凸出部に対応し、前記第２の収容部が該第２の段部の凹陥部に対応し、前記第３の収容部が該第２の段部の凸出部に対応し、前記第４の収容部が該第１の段部の凹陥部に対応して枢接されている構成とすることもできる。
【０００８】
更にまた、前記工具入れにおいて、前記第１のハウシングには前記第１の収容部の量及び位置に対応して設けられている凸出部と、前記第４の収容部の量及び位置に対応して設けられている凹陥部とからなる第１の段部が設けられ、前記第２のハウシングには前記第３の収容部の量及び位置に対応して設けられている凸出部と、前記第２の収容部の量及び位置に対応して設けられている凹陥部とからなり、且つ前記第１のハウシングが有する前記第１の段部と相欠き接合しあっている第２の段部が枢接してなる構成とすることもできる。
【０００９】
そして、前記工具入れにおいて、前記第１のハウシングと前記第２のハウシング間の枢接は、前記第１、第２の段部を貫通する軸心線の回りに、前記第１のハウシングと前記第２のハウシングぞれぞれに設けられている円弧形ガイド溝部と該ガイド溝部の延伸円弧上の枢接するハウシングの一側に隣設されている半球体状に突出する係合部とにより、前記第１のハウシングに設けられている前記係合部が前記第２のハウシングに設けられている前記ガイド溝部に沿って移動可能に該ガイド溝部内に嵌め込み、前記第２のハウシングに設けられている前記係合部も前記第１のハウシングに設けられている前記ガイド溝部に沿って移動可能に該ガイド溝部内に嵌め込んでなり、更に、それぞれの前記ガイド溝部内には前記ガイド溝部内に嵌め込んでいる前記係合部の移動を一時制限し該工具入れを前記収容状態もしくは前記展示状態に維持するための複数のリブが設けられ、前記第１のハウシングを前記第２のハウシングに対して揺動させると、前記ガイド溝部内に嵌め込んでいる前記係合部が前記複数のリブをクリックして滑動させることによって、前記収容状態と前記展示状態間との間を自在に変えることができる構成とすることもできる。
【考案の効果】
【００１０】
本考案の工具入れは、第１のハウシングと第２のハウシングにより枢接してなり、相対揺動することにより第１のハウシングと第２のハウシングが第１の所定角度をなして工具を工具入れ内に収容する収容状態と、第１のハウシングと第２のハウシングが第２の所定角度をなし工具の一端を工具入れ外に露出させる展示状態とに任意に替えることができるので、収容と展示機能を兼ね備えた優れた工具入れを提供することができる。
【考案を実施するための最良の形態】
【００１１】
図１〜図４に示すのは本考案の第１の実施形態の工具入れである。この第１の実施形態の工具入れは例えとして、複数本のドライバーを収容及び展示することができる工具入れである。図１に示すのは該工具入れの収容状態の平面図であり、図２に示すのは該工具入れの立体分解図であり、図３は該工具入れの収容状態及び展示状態において、それぞれの枢接状態を示す説明図であり、図４に示すのは該工具入れの展示状態の斜視／要部透視図である。
【００１２】
まずは図１を参照してみると、該工具入れは第１のハウシング１と、該第１のハウシング１と突合せ枢接し合っている第２のハウシング２とからなるものである。該第１のハウシング１と第２のハウシング２はその枢接により、図１に示す水平の１８０度の第１の所定角度をなす収容状態と、図４に示す約６０度の第２の所定角度をなす展示状態との間に自在に替えることができるようになっている。ちなみに、この実施形態では、第１の所定角度と第２の所定角度をそれぞれ１８０度、６０度に定めているが、必要に応じて変更することも可能である。
【００１３】
第１のハウシング１には右側の凸出部１１と左側の凹陥部１２からなる左右段違いの第１の段部１０を有しており、第２のハウシング２には該第１の段部１０に対応して互いに相欠き接合できるように、右側の凹陥部２１と左側の凸出部２２からなる左右段違いの第２の段部２０を有している。詳しく説明すると、第１と第２のハウシング１、２は、第１の段部１０の右側の凸出部１１が第２の段部２０の右側の凹陥部２１に嵌込んで枢接し、第２の段部２０の左側の凸出部２２も第１の段部１０の左側の凹陥部１２に嵌込んで枢接する構成になっている。
【００１４】
そして、第１のハウシング１の右側の凸出部１１にはドライバーの第１の端部、この実施形態では柄部が形成されている一端を収容できる第１の収容部１１０が三つ並列に設けられており、その左側の凹陥部１２にはドライバーの第２の端部、この実施形態では穂先が形成されている一端を収容できる第４の収容部１２０が三つ並列に設けられている。第２のハウシング２は第１のハウシング１の構成に対応し、その右側の凹陥部２１にはドライバーの第２の端部、即ち穂先が形成されている一端を収容できる第２の収容部２１０が三つ並列に設けられており、その左側の凸出部２２にはドライバーの第１の端部、即ち柄部が形成されている一端を収容できる第３の収容部２２０が三つ並列に設けられている。
【００１５】
続いて、図２を用いて第１のハウシング１に及び第１の収容部１１０、第４の収容部１２０の詳しい構成について説明する。ちなみに、第２のハウシング２及び第２の収容部２１０、第３の収容部２２０については、それぞれ第１のハウシング１及び第４の収容部１２０、第１の収容部１１０と同じ構成になっているので、その詳しい説明を省略する。
【００１６】
図２に示すように、第１のハウシング１は右側に凸出部１１、左側に凹陥部１２が形成され、周囲に壁を、下方に底板部を、上方に開口を有している本体部１０１と、凸出部１１及び凹陥部２１からなる第１の段部に対応すると同時に、蓋として本体部１０１の上面開口を覆う蓋部１０２からなる中空なケース体である。
【００１７】
本体部１０１の右側には、ドライバーの第１の端部、即ち柄部が形成されている一端を収容するため、ドライバーの柄部が挿入できる三つ並列に形成されている挿入孔部１０３、１０３、１０３と、ドライバーの柄部の先端を保持できる保持部１０４、１０４、１０４が三つ並列に設けられている。ここで、挿入孔部１０３と保持部１０４がそれらの間に画成する収容空間が第１の収容部１１０である。
【００１８】
本体部１０１の左側には、ドライバーの第２の端部、即ち穂先が形成されている一端を収容するため、ドライバーの穂先が第１のハウシング１の上方に進出自在に設けられている三つの進出凹部１０６、１０６、１０６が設けられている。そして、蓋部１０２蓋部１０２にも進出凹部１０６、１０６、１０６に対応して、ドライバーの穂先が第１のハウシング１の上方に進出自在の三つの凹下部１０７、１０７、１０７が設けられている。ここで三つの凹下部１０７、１０７、１０７と進出凹部１０６、１０６、１０６が画成する収容空間が第４の収容部１２０である。
【００１９】
また、図示のように、ここで進出凹部１０６、１０６、１０６が設けられている壁は斜めに形成されており、これによって、第１のハウシング１が第２のハウシング２に対して第１の所定角度から第２の所定角度まで揺動する時、第２のハウシング２の左側の凸出部２２が第１のハウシング１の左側の凹陥部１２に嵌め込み、凸出部２２の底板部がその斜めに形成されている壁と当接するまで順調に揺動することができる。
【００２０】
更に、第１と第２のハウシング１、２それぞれの凸出部１１、２２の先端外側の両側と、凹陥部１２、２１の先端内側の、第１、第２の段部１０、２０を貫通する軸心線が通過する位置は、第１と第２のハウシング１、２を枢接するための枢接部１３、１４、１５、２３、２４、２５とされている。第１のハウシング１において、凸出部１１の内側の一側の枢接部は凹陥部１２の内側の一側の枢接部でもあり、そして、第２のハウシング２においても同じ構成になっているので、第１と第２のハウシング１、２には、それぞれ三つの枢接部１３、１４、１５及び２３、２４、２５を備え、枢接部１３と枢接部２３、枢接部１４と枢接部２４、枢接部１５と枢接部２５がそれぞれ枢接し合っている。
【００２１】
この実施形態では、すべての枢接部１３、１４、１５、２３、２４、２５の構成は同じくなっているので、ここでは枢接部１３と枢接部２３を代表とし、図２と図３をあわせて参照してその構成について詳しく説明する。枢接部１３と枢接部２３それぞれには、前記軸心線の回りに形成された円弧形のガイド溝部１３１、２３１と、ガイド溝部１３１の延伸円弧上に半球体状に突出するように形成された係合部１３３、２３３とを有している。ガイド溝部１３１、２３１の深さと広さ、そして円弧の半径などの寸法はすべて同じく、互いに対称に設けられている。係合部１３３はガイド溝部１３１の延伸円弧上第２のハウジング２寄りの一側に配置され、そしてガイド溝部２３１の溝内に嵌め込んでガイド溝部２３１に沿って移動できるように形成されている。係合部２３３は係合部１３３と同じの大きさを有し、ガイド溝部２３１の延伸円弧上第１のハウジング１寄りの一側に配置され、そしてガイド溝部１３１の溝内に嵌め込んでガイド溝部１３１に沿って移動できるように形成されている。更に、それぞれのガイド溝部１３１、２３１の溝内には、それぞれのガイド溝部１３１、２３１内に嵌め込んでいる係合部２３３、１３３の移動及び位置を制限する複数のリブ１３２、２３２が間をあけて形成されており、その構成については、枢接部１３、２３の枢接方法と共に下記の通りに説明する。
【００２２】
図３に示すのは、該工具入れの収容状態及び展示状態において、枢接部１３、２３の枢接状態を示す説明図である。左側に示すのは収容状態で、右側に示すのは展示状態である。ちなみに、ここで示す枢接状態は、ずべての枢接部１３と２３、１４と２４、１５と２５においても同じである。まずは左側の収容状態を見てみると、この時ガイド溝部１３１、２３１の大部分が重なっており、ガイド溝部１３１、２３１の溝内に嵌め込んでいる係合部２３３、１３３は互いに離れていてそれぞれガイド溝部１３１、２３１の端に位置している。係合部２３３、１３３の移動はそれぞれガイド溝部１３１、２３１の溝内に形成されているリブ１３２、２３２により制限されている。これにより、外力を受けない限り、該工具入れは収容状態を維持するようになる。該工具入れが外力を受けて、係合部２３３、１３３がその位置を制限するリブ１３２、２３２をクリックして滑動すると共に、第１のハウシング１が第２のハウシング２に対して揺動し、右側に示す展示状態に切り替えることができる。右側の展示状態を見てみると、この時ガイド溝部１３１、２３１の重なる部分が減り、ガイド溝部１３１、２３１の溝内に嵌め込んでいる係合部２３３、１３３は互いに近づいてそれぞれガイド溝部１３１、２３１の中心近くに位置している。この時、係合部２３３、１３３の元の位置に戻る移動は前と違うリブ１３２、２３２により制限され、リブ１３２、２３２をクリックして滑動させるほどの外力を受けない限り、該工具入れは収容状態に維持するようになる。従って、右側の図中に係合部２３３、１３３と当接してその移動を制限するリブ１３２、２３２がそのガイド溝部１３１、２３１の溝内に形成される位置は、第１のハウシング１と第２のハウシング２が成す第２の所定角度を決める役割も有している。そして、右側の図中に係合部２３３、１３３と当接するリブ以外のリブ１３２、２３２も、その形成位置により第１のハウシング１と第２のハウシング２が成す角度を決定することができる。
【００２３】
図４に示すのは該工具入れの展示状態の斜視／要部透視図である。図示のように、展示状態の時、該工具入れは立って、工具の柄部が設けられる第１の端部を第１の収容部１１０、第３の収容部２２０に挿入し、その穂先が設けられる第２の端部を露出させて展示することができる。
【００２４】
続いて、図５〜図７を用いて、本考案の第２の実施形態の工具入れについて説明する。この第２の実施形態の工具入れは第１の実施形態と同じく、例えとして、複数本のドライバーを収容及び展示することができる工具入れである。図５に示すのは該工具入れの収容状態の平面図であり、図６に示すのは該工具入れの立体分解図であり、図７に示すのは該工具入れの展示状態の斜視図である。
【００２５】
図５を図１と比べてみると、この第２の実施形態の工具入れは第１の実施形態と違って、互いに枢接し合っている第１と第２のハウシング1Ａ、２Ａにはそれぞれ相欠き接合しあっている三つの段部が形成されている。第１のハウシング1Ａが持つ三つの第１の収容部１１０Ａと三つの第４の収容部１２０Ａはそれぞれ三つの凸出部と凹陥部に対応して設けられている。そして、第２のハウシング２Ａが持つ三つの第２の収容部２１０Ａと三つの第３の収容部２２０Ａもそれぞれ三つの凸出部と凹陥部に対応して設けられている。
【００２６】
図６に示すように、この第２の実施形態において、第１のハウジング１Ａと第２のハウジング２Ａの間は第１の実施形態のそれらと同じ構成、つまり枢接部１３Ａ、２３Ａで設けられるガイド溝部１３１Ａ、２３１Ａ、複数のリブ１３２Ａ、２３２Ａ、係合部１３３Ａ、２３３Ａにより枢接し合っている。
【００２７】
これにより、図７に示すように、第２の実施形態の工具入れも第１の実施形態と同様に立って、工具の柄部が設けられる第１の端部を第１の収容部１１０Ａ、第３の収容部２２０Ａに挿入し、その穂先が設けられる第２の端部を露出させて展示することができる。
【００２８】
更に、第３の実施形態として、本考案の工具入れは図８のように構成することができる。図８に示すのはこの第３の実施形態の工具入れの収容状態の平面図である。
【００２９】
図８を図１、図５と比べてみると、この第２の実施形態の工具入れは他の実施形態と違い、該工具入れの第１と第２のハウシング1Ｂ、２Ｂは、第１のハウシング１Ｂに設けられる二つの凸出部１１Ｂとその間の凹陥部１２Ｂからなる段部と、第２のハウシング２Ｂに設けられる二つの凹陥部２１Ｂとその間の凸出部２２Ｂからなる段部と、により相欠き接合し合っている。第１のハウシング1Ｂが持つ４つの第１の収容部１１０Ｂと２つ第４の収容部１２０Ｂについては、４つの第１の収容部１１０Ｂは２つずつ分けられて２つの凸出部１１Ｂのそれぞれに対応して設けられ、２つの第４の収容部１２０Ｂは凹陥部１２Ｂに対応して設けられている。そして、第２のハウシング２Ｂが持つ４つの第２の収容部２１０Ｂと２つの第３の収容部２２０Ｂについては、４つの第２の収容部２１０Ｂは２つずつ分けられて２つの凹陥部２１Ｂのそれぞれに対応して設けられ、２つの第３の収容部２２０Ｂは凸出部２２Ｂに対応して設けられている。
【００３０】
即ち、本考案の２のハウシングにおける各収容部の配置は、特に制限がなく、第１の実施形態のように、工具の両端を収容する収容部をそれぞれまとめて並んで２のハウシングに振り分けて設置することもいいし、第２の実施形態のように、入れ替わるように設置することもいい。そして、第３の実施形態のように、グループに分けて入れ替わるように設置することや、必要や美観性に応じて他の設計を取っても構わない。
【産業上の利用可能性】
【００３１】
本考案の工具入れは、第１のハウシングと第２のハウシングにより枢接してなり、相対揺動することにより第１のハウシングと第２のハウシングが第１の所定角度をなして工具を工具入れ内に収容する収容状態と、第１のハウシングと第２のハウシングが第２の所定角度をなし工具の一端を工具入れ外に露出させる展示状態とに任意に替えることができるので、収容と展示機能を兼ね備えた優れた工具入れを提供することができる。
【図面の簡単な説明】
【００３２】
【図１】第１の実施形態の工具入れの収容状態の平面図。
【図２】該工具入れの立体分解図。
【図３】該工具入れの収容状態及び展示状態において、それぞれの枢接状態を示す説明図。
【図４】該工具入れの展示状態の斜視／要部透視図。
【図５】第２の実施形態の工具入れの収容状態の平面図。
【図６】該工具入れの立体分解図。
【図７】該工具入れの展示状態の斜視図。
【図８】第３の実施形態の工具入れの収容状態の平面図。
【符号の説明】
【００３３】
１、１Ａ、１Ｂ．．．第１のハウシング
２、２Ａ、２Ｂ．．．第２のハウシング
１１、１１Ｂ．．．凸出部
１２、１２Ｂ．．．凹陥部
１０．．．第１の段部
２１、２１Ｂ．．．凹陥部
２２、２２Ｂ．．．凸出部
２０．．．第２の段部
１１０、１１０Ａ、１１０Ｂ．．．第１の収容部
１２０、１２０Ａ、１２０Ｂ．．．第４の収容部
２１０、２１０Ａ、２１０Ｂ．．．第２の収容部
２２０、２２０Ａ，２２０Ｂ．．．第３の収容部
１０１．．．本体部
１０２．．．蓋部
１０３、１０３、１０３．．．挿入孔部
１０４、１０４、１０４．．．保持部
１０６．．．進出凹部
１０７．．．凹下部
１３、１４、１５、２３、２４、２５、１３Ａ、２３Ａ．．．枢接部
１３１、２３１、１３１Ａ、２３１Ａ．．．ガイド溝部
１３３、２３３、１３３Ａ、２３３Ａ．．．係合部
１３２、２３２、１３２Ａ、２３２Ａ．．．リブ
【図１】
0003126897.tif 000003
【図２】
0003126897.tif 000004
【図３】
0003126897.tif 000005
【図４】
0003126897.tif 000006
【図５】
0003126897.tif 000007
【図６】
0003126897.tif 000008
【図７】
0003126897.tif 000009
【図８】
0003126897.tif 000010